【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
ビデオ情報を復号するように構成された装置であって、
第１のピクチャを有する第１のビデオレイヤに関連付けられたビデオ情報を記憶するように構成されたメモリユニットと、
前記メモリユニットと通信しているプロセッサとを備え、前記プロセッサは、
前記第１のピクチャに関連付けられた補足エンハンスメント情報（ＳＥＩ）メッセージまたは前記第１のピクチャの中に含まれるスライスのスライスヘッダのうちの１つに含まれるピクチャ順序カウント（ＰＯＣ）導出情報を処理することと、ここにおいて、前記ＰＯＣ導出情報は、復号順序において前記第１のピクチャに先行する、前記第１のビデオレイヤにおいて符号化された前のピクチャのＰＯＣ値を少なくとも備える、
前記第１のピクチャに関連付けられた前記ＰＯＣ導出情報に基づいて、復号順序において前記前のピクチャに先行する、前記第１のビデオレイヤの中の少なくとも１つの他のピクチャのＰＯＣ値を決定することと、を行うように構成される、
装置。
【請求項２】
ビデオ情報を符号化するように構成された装置であって、
第１のピクチャを有する第１のビデオレイヤに関連付けられたビデオ情報を記憶するように構成されたメモリユニットと、
前記メモリユニットと通信しているプロセッサとを備え、前記プロセッサは、
前記第１のピクチャに関連付けられた補足エンハンスメント情報（ＳＥＩ）メッセージまたは前記第１のピクチャの中に含まれるスライスのスライスヘッダのうちの１つに含まれるピクチャ順序カウント（ＰＯＣ）導出情報を処理することと、ここにおいて、前記ＰＯＣ導出情報は、復号順序において前記第１のピクチャに先行する、前記第１のビデオレイヤにおいて符号化された前のピクチャのＰＯＣ値を少なくとも備える、
前記第１のピクチャに関連付けられた前記ＰＯＣ導出情報に基づいて、復号順序において前記前のピクチャに先行する、前記第１のビデオレイヤの中の少なくとも１つの他のピクチャのＰＯＣ値を決定することと、を行うように構成される、
装置。
【請求項３】
前記プロセッサは、
前記少なくとも１つの他のピクチャの前記ＰＯＣ値を、前記第１のピクチャに関連付けられた前記ＰＯＣ導出情報を使用してリセットするように構成される、
請求項１または請求項２に記載の装置。
【請求項４】
前記プロセッサは、
前記少なくとも１つの他のピクチャの前記ＰＯＣ値が、（１）前記ＰＯＣ値の１つまたは複数の最上位ビット（ＭＳＢ）と１つまたは複数の最下位ビット（ＬＳＢ）の両方をリセットすることによってリセットされるべきであるのか、それとも（２）前記ＰＯＣ値の前記１つまたは複数のＭＳＢのみをリセットすることによってリセットされるべきであるのかを示すＰＯＣリセットタイプフラグを処理するように構成される、
請求項１または請求項２に記載の装置。
【請求項５】
前記プロセッサは、
前記前のピクチャに関連付けられた前記ＰＯＣリセットを識別するＰＯＣリセットＩＤを処理するように構成される、
請求項１または請求項２に記載の装置。
【請求項６】
前記ＰＯＣ導出情報は、
ＰＯＣリセットタイプフラグ、ＰＯＣリセット値、またはＰＯＣリセットＩＤのうちの１つまたは複数を含む、
請求項１または請求項２に記載の装置。
【請求項７】
前記プロセッサは、
前記ＰＯＣ導出情報によって示されるＰＯＣリセットタイプフラグ、ＰＯＣリセット値、またはＰＯＣリセットＩＤのうちの１つまたは複数を処理するように構成され、それらのうちの少なくとも１つは、指数ゴロムコードを使用してコーディングされる、
請求項１または請求項２に記載の装置。
【請求項８】
前記プロセッサは、ビットストリームの中の前記第１のピクチャに関連する前記ＰＯＣ導出情報を提供するように構成され、ここにおいて、前記プロセッサは、前記ビットストリームの中の前記ビデオ情報を符号化するようにさらに構成される、請求項２に記載の装置。
【請求項９】
前記プロセッサは、ビットストリームの中の前記第１のピクチャに関連する前記ＰＯＣ導出情報を受信するように構成され、ここにおいて、前記プロセッサは、前記ビットストリームの中の前記ビデオ情報を復号するようにさらに構成される、請求項１に記載の装置。
【請求項１０】
前記装置が、コンピュータ、ノートブック、ラップトップコンピュータ、タブレットコンピュータ、セットトップボックス、電話ハンドセット、スマートフォン、スマートパッド、テレビジョン、カメラ、ディスプレイデバイス、デジタルメディアプレーヤ、ビデオゲームコンソール、および車載コンピュータからなるグループの中から選択されたデバイスを備える、請求項１または請求項２に記載の装置。
【請求項１１】
ビデオ情報を復号する方法であって、
第１のビデオレイヤの中の第１のピクチャに関連付けられた補足エンハンスメント情報（ＳＥＩ）メッセージまたは前記第１のピクチャの中に含まれるスライスのスライスヘッダのうちの１つに含まれるピクチャ順序カウント（ＰＯＣ）導出情報を処理することと、ここにおいて、前記ＰＯＣ導出情報は、復号順序において前記第１のピクチャに先行する、前記第１のビデオレイヤにおいて符号化された前のピクチャのＰＯＣ値を少なくとも備える、
前記第１のピクチャに関連付けられた前記ＰＯＣ導出情報に基づいて、復号順序において前記前のピクチャに先行する、前記第１のビデオレイヤの中の少なくとも１つの他のピクチャのＰＯＣ値を決定することと
を含む方法。
【請求項１２】
ビデオ情報を符号化する方法であって、
第１のビデオレイヤの中の第１のピクチャに関連付けられた補足エンハンスメント情報（ＳＥＩ）メッセージまたは前記第１のピクチャの中に含まれるスライスのスライスヘッダのうちの１つに含まれるピクチャ順序カウント（ＰＯＣ）導出情報を処理することと、ここにおいて、前記ＰＯＣ導出情報は、復号順序において前記第１のピクチャに先行する、前記第１のビデオレイヤにおいて符号化された前のピクチャのＰＯＣ値を少なくとも備える、
前記第１のピクチャに関連付けられた前記ＰＯＣ導出情報に基づいて、復号順序において前記前のピクチャに先行する、前記第１のビデオレイヤの中の少なくとも１つの他のピクチャのＰＯＣ値を決定することと
を含む方法。
【請求項１３】
前記少なくとも１つの他のピクチャの前記ＰＯＣ値を決定することは、前記少なくとも１つの他のピクチャの前記ＰＯＣ値を、前記第１のピクチャに関連付けられた前記ＰＯＣ導出情報を使用してリセットすることを少なくとも備える、請求項１１または請求項１２に記載の方法。
【請求項１４】
前記ＰＯＣ導出情報を処理することは、前記少なくとも１つの他のピクチャの前記ＰＯＣ値が、（１）前記ＰＯＣ値の１つまたは複数の最上位ビット（ＭＳＢ）と１つまたは複数の最下位ビット（ＬＳＢ）の両方をリセットすることによってリセットされるべきであるのか、それとも（２）前記ＰＯＣ値の前記１つまたは複数のＭＳＢのみをリセットすることによってリセットされるべきであるのかを示すＰＯＣリセットタイプフラグを処理することを少なくとも備える、請求項１１または請求項１２に記載の方法。
【請求項１５】
実行されたとき、装置に、
請求項１１から請求項１４のいずれか一項に記載の方法を実行すること
を行わせるコードを備える非一時的コンピュータ可読媒体。